(57)【要約】【目的】遺体から流出する体液が外部に染み出し難い遺体収納袋を提供するとともに、防湿性並びに保湿性が維持できる材質からなる遺体収納袋を提供する。【構成】上面シート１１と下面シート１２とが合成樹脂製シートからなり、下面シート１２と上面シート１２の横方向及び縦方向に幅広の縫い代部を形成し、下面シート１２と上面シート１１とのそれぞれの縫い代部を縫製して周縁縫製部１３を形成し、周縁縫製部１３が収納内部に帯状に張り出すようにし、下面シート１２側に袋状溝１４を形成してなる、上面シート１１と下面シート１２とを袋状とした遺体を収納する遺体収納袋１０である。【選択図】図１
0003150917.tif 000002
【実用新案登録請求の範囲】
【請求項１】
上面シートと下面シートとを袋状とした遺体を収納する遺体収納袋において、
前記遺体収納袋は、前記上面シートと下面シートとが合成樹脂製シートからなり、該下面シートと該上面シートの横方向及び縦方向に幅広の縫い代部を形成し、該下面シートと該上面シートとのそれぞれの縫い代部を縫製して周縁縫製部を形成し、該周縁縫製部が収納内部に帯状に張り出すようにし、該下面シート側に袋状溝を形成してなることを特徴とする遺体収納袋。
【請求項２】
前記上面シートにはファスナーによる遺体の出し入れのための開口部が設けられ、かつ透明樹脂フィルムによる窓及び個体識別カードが挿入可能なポケットを具えるとともに、前記下面シートは少なくとも２層の合成樹脂製シートからなり、該２層の内の外側の合成樹脂製シートに、前記上面又は下面シートを重ねて平面とした際の横幅よる内側に対応する位置間を縫製により装着した両端部に取っ手を有するベルトが複数設けられていることを特徴とする請求項１に記載の遺体収納袋。
【請求項３】
前記２層の合成樹脂製シートの内側のシートが多層にラミネートした第１積層シートであり、該合成樹脂製シートの外側のシートが合成繊維を合成樹脂フィルムで挟んでラミネートした第２積層シートであり、かつ前記上面シートは前記第１積層シートと同一素材の積層シートであることを特徴とする請求項２に記載の遺体収納袋。
【請求項４】
前記第１積層シートは３枚のポリエチレンフィルムをラミネートした３層フィルムを螺旋状に延伸して貼り合わせた１２層の積層フィルムであり、前記第２積層シートはポリエチレン製の糸による網の目状の織物をポリエチレンフィルムで挟んでラミネートした積層フィルムであることを特徴とする請求項３に記載の遺体収納袋。
【考案の詳細な説明】
【技術分野】
【０００１】
本考案は、災害や病死した遺体、殊に感染症等により死亡した遺体を収納する遺体収納袋に関する。
【背景技術】
【０００２】
図６は、死者や負傷者を収納する収納袋（ボディーバッグ）の斜視図である。従来のボディーバッグについて、同図を参照し説明すると、下面シート１と上面シート２の周縁を溶着して袋状とし、上面シート２にファスナー６により開口して人体を自由に出し入れすることができる開口部５が形成され、運搬のための支持棒を挿通させることができるフック３が設けられている。図７は、図６のボディーバッグの開口部５の周縁部を示す断面図であり、開口部５の周縁部にファスナー６ｂのファスナー片６ｃがシールベルト７と一緒に上面シート２の外周面２ｂの内周縁部分に溶着され、ファスナー６ａのファスナー片は上面シート２の外周面２ａの外周縁部に溶着され、ファスナー６ａ，６ｂが噛合し、その噛合部を内側からシールベルト７で覆ってボディーバッグ内の気密性が保たれるようにしている（例えば、特許文献１参照）。
【先行技術文献】
【特許文献】
【０００３】
【特許文献１】実開平６−１１７３２号公報
【考案の概要】
【考案が解決しようとする課題】
【０００４】
従来の遺体収納袋は、上面シートと下面シートとの周縁部分を溶着し、かつファスナー片を上面シートの上面周縁部に溶着して装着し、ファスナーを閉じた状態でボディーバッグ内の気密性を保とうとするものであります。しかし、上面シートと下面シートとが溶着により接合されており、収納した人体を保湿性や保温したり、袋自体に強度を持たせたい場合には、保湿や保温等の種々の特性に優れたシートを積層した樹脂シート使用されることになる。このような積層した比較的厚い樹脂シートでは溶着による接合が困難な場合がある。上面又は下面シートがこのような材質である場合、縫製により袋状としなければならない。例えば、図６の上面シートと下面シートとの周縁部分の溶着部分を縫製とした場合、体液が縫製部分から滲み出すおそれがあり、体液とともに病原菌やエイズ、Ｂ型肝炎、インフルエンザ等のウイルスが一緒に染み出して防疫等に当たる医師や作業者が感染するおそれがある。
【０００５】
本考案は、上記課題に鑑みてなされたものであり、遺体から流出する体液が外部に染み出し難い遺体収納袋を提供することを目的とし、さらに、防湿性や保湿性が維持できる材質からなる遺体収納袋を提供することを目的とする。
【課題を解決するための手段】
【０００６】
本考案は、上記課題を達成したものであり、請求項１の考案は、上面シートと下面シートとを袋状とした遺体を収納する遺体収納袋において、
前記遺体収納袋は、前記上面シートと下面シートとが合成樹脂製シートからなり、該下面シートと該上面シートの横方向及び縦方向に幅広の縫い代部を形成し、該下面シートと該上面シートとのそれぞれの縫い代部を縫製して周縁縫製部を形成し、該周縁縫製部が収納内部に帯状に張り出すようにし、該下面シート側に袋状溝を形成してなることを特徴とする遺体収納袋である。
【０００７】
また、請求項２の考案は、前記上面シートにはファスナーによる遺体の出し入れのための開口部が設けられ、かつ透明樹脂フィルムによる窓及び個体識別カードが挿入可能なポケットを具えるとともに、前記下面シートは少なくとも２層の合成樹脂製シートからなり、該２層の内の外側の合成樹脂製シートに、前記上面又は下面シートを重ねて平面とした際の横幅よる内側に対応する位置間を縫製により装着した両端部に取っ手を有するベルトが複数設けられていることを特徴とする請求項１に記載の遺体収納袋である。
【０００８】
また、請求項３の考案は、前記２層の合成樹脂製シートの内側のシートが多層にラミネートした第１積層シートであり、該合成樹脂製シートの外側のシートが合成繊維を合成樹脂フィルムで挟んでラミネートした第２積層シートであり、かつ前記上面シートは前記第１積層シートと同一素材の積層シートであることを特徴とする請求項２に記載の遺体収納袋である。
【０００９】
また、請求項４の考案は、前記第１積層シートは３枚のポリエチレンフィルムをラミネートした３層フィルムを螺旋状に延伸して貼り合わせた１２層の積層フィルムであり、前記第２積層シートはポリエチレン製の糸による網の目状の織物をポリエチレンフィルムで挟んでラミネートした積層フィルムであることを特徴とする請求項３に記載の遺体収納袋である。
【考案の効果】
【００１０】
請求項１の考案では、上面シートと下面シートとで袋状とした遺体を収納する遺体収納袋であって、縫い代部を縫製した周縁縫製部が収納内部に帯状に張り出し、下面シート側に袋状溝が形成されており、遺体からの体液がこの袋状溝で堰き止められ、周縁縫製部から滲み出さないようにし、体液とともに病原菌やエイズ、Ｂ型肝炎、インフルエンザ等のウイルスが外部に染み出すのを防止することができる利点がある。また、上面シートと下面シートとが合成樹脂製シートであり、防湿性、保湿性、並びに耐久性が容易に維持できる利点がある。
【００１１】
また、請求項２の考案では、前記上面シートにファスナーによる開口部が設けられているとともに、透明樹脂フィルムによる窓及び個体識別カードが挿入可能なポケットが具えられており、感染症等で死者が同時に多数発生するといった緊急時に遺体の身元確認をする際に有効である。また、下面シートの外側の合成樹脂製シートに設けたベルトの両端の取っ手を把持して搬送することも可能であり、また、これらの取っ手に支持棒を挿通して担架として利用することも可能である利点がある。
【００１２】
また、請求項３の考案では、下面シートが少なくとも２層の合成樹脂製シートからなり、この合成樹脂製シートの内側のシートが多層にラミネートした第１積層シートであり、また、上面シートが第１積層シートと同一素材の積層シートであり、下面シートにはベルトが縫製されるし、第２積層シートは安置場所に直に接触する部分であり、第１積層シートより、引っ張り強度に強く、防湿性能に優れた素材とすることができ、遺体の保全に有効である。
【００１３】
また、請求項４の考案では、第１積層シートが３枚のポリエチレンフィルムをラミネートした３層フィルムを螺旋状に延伸して貼り合わせた１２層の積層フィルムであり、第２積層シートがポリエチレン製の糸による網の目状の織物をポリエチレンフィルムで挟んでラミネートした積層フィルムであるので、保温性に優れ、引っ張り強度に強く、しかも防湿性能に優れた素材とすることができ、遺体の保全に有効である。また、焼却した際にダイオキシン等の有毒燃焼ガスの発生がなく、環境に負荷を与えない利点がある。
【図面の簡単な説明】
【００１４】
【図１】本考案の遺体収納袋の一実施例を示す斜視図である。
【図２】（ａ）は、図１の本考案の遺体収納袋の表面を示す正面図、（ｂ）はその裏面を示す裏面図である。
【図３】本実施例の遺体収納袋の横方向の断面図である。
【図４】本実施例の遺体収納袋のファスナー部分の断面図である。
【図５】本実施例の遺体収納袋の遺体収納図である。
【図６】従来のボディバッグの斜視図である。
【図７】従来のボディバッグの要部断面図である。
【考案を実施するための形態】
【００１５】
以下、本考案の遺体収納袋の一実施例について図面を参照し説明する。図１において、１０は遺体を収納する遺体収納袋であり、上面シート１１と下面シート１２は合成樹脂製シートであり、上面シート１１と下面シート１２とを縫製し、縦長の外観形状で袋状としたものである。上面シート１１と下面シート１２とは、横方向及び縦方向に幅広の縫い代部を形成し、下面シート１２と上面シート１１とのそれぞれの全周の縫い代部を合わせながら縫製し周縁縫製部１３を形成し、周縁縫製部１３が袋状内側に帯状に張り出すようにし、下面シート１２側の側縁部全周に下面シート１２と周縁縫製部１３とによる袋状溝１４を形成したものである。
【００１６】
上面シート１１には遺体の出し入れのためのファスナー１５ａ，１５ｂにより開閉可能な、例えば略コ字状の開口部２０が設けられている。上面シート１１は、開閉面１１ａと外周面１１ｂとに略コ字状に裁断され、開閉面１１ａと外周面１１ｂとの互いの対向片縁にファスナー１５ａ，１５ｂのファスナー片がそれぞれ縫製により装着されて開口部２０が形成されている。また、上面シート１１の開閉面１１ａ側に透明樹脂フィルムによる窓１６及びポケット１７が設けられている。窓１６は、上面シート１１の上部に設けた方形状開口部に方形の透明樹脂フィルムを、その外周縁部を合わせて上面シート１１に縫製により装着され、透明樹脂フィルムより内部が視認できるように設けられている。また、窓１６より下方には、個体識別カードが挿入可能なポケット１７が設けられている。ポケット１７は、方形状の透明樹脂フィルムの上部が開口するように上面シート１１に縫製により装着されている。これらの透明樹脂フィルムとしてはポリオレフィンフィルムが用いられる。
【００１７】
また、下面シート１２には、図１，図２（ａ），（ｂ）に示すように、ベルト１８が上面又は下面シート１１，１２を重ねて平面とした際の横幅よる内側に対応する位置間（縫い目を点線１８ｂで示す）を縫製して装着され、ベルト１８の両端部にループ状とした取っ手１８ａが設けられている。ベルト１８が下面シート１２に装着される位置は、例えば、頭部近傍、胸部、腰部、脚部下部近傍などに対応する４箇所である。下面シート１２は多層の合成樹脂製シートで構成され、ベルト１８はその最外層の合成樹脂製シートに縫製されている。取っ手１８ａは手で把持して収納した遺体の搬送に利用することができるし、また、取っ手１８ａが下面シート１２のそれぞれの長手方向端縁から突出しており、それぞれの側の取っ手１８ａに支持棒を挿通して担架としても利用することができる。
【００１８】
また、下面シート１２は、図３に示すように、少なくとも２層の合成樹脂製シート１２ａ，１２ｂからなり、合成樹脂製シートの内側のシートが多層にラミネートした第１積層シート１２ａであり、合成樹脂製シートの外側のシートが合成繊維を合成樹脂フィルムで挟んでラミネートした第２積層シート１２ｂであり、かつ上面シート１１は第１積層シート１２ａと同一素材の積層シートである。
【００１９】
第１積層シート１２ａとしては、例えば３枚の低密度ポリエチレンフィルムをポリプロピレン等を介在させてラミネートした３層フィルムを螺旋状に延伸して貼り合わせた１２層の積層フィルムであり、例えば、クロスラム（登録商標）保温シートが用いられる。なお、第１積層シート１２ａはこの実施例に限定するものではなく、１２層以上としても良いし、高密度ポリエチレンフィルムを使用したものであってもよく、また、他の合成樹脂フィルムをラミネートしたものであってもよく、保湿性に優れた材質が好ましい。
【００２０】
また、第２積層シート１２ｂはポリエチレン製の糸による網の目状の織物をポリエチレンフィルムで挟んでラミネートした積層フィルムであり、引張強度が高い特性を有し、例えば、無着色のブルーシートが好ましいが、着色のものを用いることも可能である。これらの合成樹脂製シート、及びファスナー１５のエレメントやスライダー（胴体、柱、引手）、さらに取っ手１８ａ等の全ての部材は、燃焼した際にダイオキシン等の有毒燃焼ガスが発生しないものを用いる。
【００２１】
次に、本実施例の周縁縫製部１３について説明する。下面シート１２は、第１積層シート１２ａと第２積層シート１２ｂを二枚重ねしたシートであり、第１積層シート１２ａと第２積層シート１２ｂとは同一寸法に裁断される。また、上面シート１１は、下面シート１２と横方向及び縦方向が略同一寸法に裁断される。上面シート１１と下面シート１２の外周縁部には幅広の縫い代部が設けられ、互いの縫い代部を合わせて縫い合わせることによって、幅広で帯状の周縁縫製部１３が形成される。
【００２２】
周縁縫製部１３は、図３に示すように、上面シート１１と下面シート１２との折り曲げ部より内側の縫い代部を縫う第１の縫い目１３ａがあり、さらに縫い代部の外側を縫う第２の縫い目１３ｂがあり、上面シート１１と下面シート１２の互いの縫い代部の端縁部の全周がテープ１９でくるまれて縫い込まれる第３の縫い目１３がある。周縁縫製部１３は、収納内部に幅広で帯状に張り出すように設けられ、下面シート１２側の外周部の全周に渡って下面シート１２と周縁縫製部１３とによる袋状溝１４が形成される。
【００２３】
ファスナー１５ａ，１５ｂは、それらのファスナー片のそれぞれが上面シート１１の開閉面１１ａと外周面１１ｂとの端縁部に縫製により装着され、ファスナー１５ａ，１５ｂの端部は金具で固定することなく、縫製により固定されている。外周面１１ｂの端縁部に縫製されるファスナー片は、図４に縫い目１５ｃで示すように、帯状カバー１１ｃを内側とし、外周面１１ｂを外側として挟み込むように縫製され、ファスナー１５ａ，１５ｂの噛合部が内側から帯状カバー１１ｃで覆われるように装着されている。ファスナー１５ａ，１５ｂは、周知のように、互いに噛合して開口部２０が閉じられ、離脱することで開口部２０が開かれる。また、ファスナー１５ａ，１５ｂ自体は焼却時に残渣として残留しないように樹脂製が用いられている。
【００２４】
本考案の遺体収納袋は、図５に示すように、窓１６に遺体の頭部側が位置するように遺体が収納され、下面シート１２の全周には袋状溝１４が形成されており、遺体から流れ出た体液が袋状溝１４に溜まって外部に染み出さないようにし、防疫に当たる医師や作業者等に感染症等のウイルスや病原菌が伝染しないように工夫されている。また、遺体の保湿性が保たれ、遺体を湿気から保護し、遺体を保全することができる。また、遺体収納袋には、ファスナーを含めて一切金属類は使用されていない。
【産業上の利用可能性】
【００２５】
本考案の活用例としては、遺体を収納する遺体収納袋或いは担架としても利用することができる。
【符号の説明】
【００２６】
１０  遺体収納袋
１１  上面シート
１１ａ  開閉面
１１ｂ  外周面
１１ｃ  帯状カバー
１２  下面シート
１２ａ  第１積層シート
１２ｂ  第２積層シート
１３  周縁縫製部
１３ａ  第１の縫い目
１３ｂ  第２の縫い目
１３ｃ  第３の縫い目
１４  袋状溝
１５，１５ａ，１５ｂ  ファスナー
１６  窓
１７  ポケット
１８  ベルト
１８ａ  取っ手
１８ｂ  縫い目を示す点線
１９  テープ
２０  開口部
【図１】
0003150917.tif 000003
【図２】
0003150917.tif 000004
【図３】
0003150917.tif 000005
【図４】
0003150917.tif 000006
【図５】
0003150917.tif 000007
【図６】
0003150917.tif 000008
【図７】
0003150917.tif 000009